(57)【要約】【課題】上着の型崩れを起こさないようにすると共に、使用する当て部材の製造を容易なものとし、さらにその当て部材のバッグへの取り付け作業も容易なものとし、しかも当て部材の部分が小物を収容するなどの有効利用をすることができる洋服収容バッグを提供する。【解決手段】洋服の上着Ｊを左右二つ折りにして収容する収容部１の一方端縁の内側角部に、上着Ｊの肩パッド部分Ｊｐに略等しい高さとした枠形状のコーナー保護部材６を取り付け、前記コーナー保護部材６の内側に小物を収容可能とした空間８を設けたものとしている。【選択図】        図３
2004222811.tif 000002
【特許請求の範囲】
【請求項１】
洋服の上着（Ｊ）を左右二つ折りにして収容する収容部（１）の一方端縁の内側角部に、上着（Ｊ）の肩パッド部分（Ｊｐ）に略等しい高さとした枠形状のコーナー保護部材（６）を取り付け、前記コーナー保護部材（６）の内側に小物を収容可能とした空間（８）を設けたことを特徴とする洋服収容バッグ。
【請求項２】
コーナー保護部材（６）が硬質の帯状部材を曲げた形状からなり、コーナー保護部（６ａ）と襠部（７）内側の当て具部（６ｂ）を連設してなることを特徴とする請求項１記載の洋服収容バッグ。
【請求項３】
収容部（１）のコーナー保護部材（６）と反対側に、カッターシャツ収容袋（９）を設けたことを特徴とする請求項１または２記載の洋服収容バッグ。
【発明の詳細な説明】
【０００１】
【発明の属する技術分野】
この発明は、洋服の上着を左右二つ折にしてズボンと共に収容して携行するのに用いる洋服収容バッグに関するものである。
【０００２】
【従来の技術】
従来、この種の洋服収容バッグとしては、図１２〜１４に示したように、略四角形状としたフレーム２１にズボンＰを巻き付け、このフレーム２１をカバー２２で覆い、次に図１５〜１７に示したように、収容部２３に左右二つ折にして置いた上着Ｊの上に、前記フレーム２１を載せ、さらにこのフレーム２１に前記上着Ｊを巻き付けて、収容部２３にズボンＰと上着Ｊを収容していた（非特許文献１、２参照）。
【０００３】
【非特許文献１】
ヨーロピアン・スタンダード日本デビュー、全添付図、「ＳＭＡＲＴＰＡＣＫは〜取得しています。」、〔ｏｎｌｉｎｅ〕、〔平成１５年１月１５日検索〕、インターネット＜ＵＲＬ：ｈｔｔｐ：／／ｗｗｗ．ｓｍａｒｔｐａｃｋ．ｃｏ．ｊｐ／ｍａｉｎ．ｈｔｍｌ＞
【非特許文献２】
スーツの保持方法（ＨＯＷ  ＴＯ  ＦＯＬＤ  Ａ  ＳＵＩＴ）、添付図１〜７、〔ｏｎｌｉｎｅ〕、〔平成１５年１月１５日検索〕、インターネット＜ＵＲＬ：ｈｔｔｐ：／／ｗｗｗ．ｓｍａｒｔｐａｃｋ．ｃｏ．ｕｋ／ｈｏｗ＿ｔｏ＿ｆｏｌｄ／ｉｎｓｔｒｕｃｔｉｏｎ＿１／ｆｏｌｄ＿ｆｕｌｌ＿１．ｈｔｍ＞
【０００４】
【発明が解決しようとする課題】
しかしながら、上記従来の洋服収容バッグに上着Ｊを収容した場合、上着Ｊの厚みが大きい肩パッド部分Ｊｐが押圧され、上着Ｊの型崩れを起こすという問題があった。
【０００５】
そのために、バッグの収容部２３内側のコーナー部分２３ａに硬質の発泡ウレタンを生地でカバーしたものからなる当て部材（図示せず）を配することがあった。しかし、この場合には当て部材の製造が容易でないと共に、バッグへの取り付け作業が容易でなく、且つ当て部材の部分が小物を収容するなどの有効利用をすることができないという問題があった。
【０００６】
そこで、この発明は、上記従来の洋服収容バッグが有する問題点を解決することをその課題としており、上着の型崩れを起こさないようにすると共に、使用する当て部材の製造を容易なものとし、さらにその当て部材のバッグへの取り付け作業も容易なものとし、しかも当て部材の部分が小物を収容するなどの有効利用をすることができる洋服収容バッグを提供することを目的としてなされたものである。
【０００７】
【課題を解決するための手段】
この発明の洋服収容バッグは、洋服の上着Ｊを左右二つ折りにして収容する収容部１の一方端縁の内側角部に、上着Ｊの肩パッド部分Ｊｐに略等しい高さとした枠形状のコーナー保護部材６を取り付け、前記コーナー保護部材６の内側に小物を収容可能とした空間８を設けたものとしている。
【０００８】
そして、この発明の洋服収容バッグは、コーナー保護部材６が硬質の帯状部材を曲げた形状からなり、コーナー保護部６ａと襠部７内側の当て具部６ｂを連設してなるものとしている。
【０００９】
さらに、この発明の洋服収容バッグは、収容部１のコーナー保護部材６と反対側に、カッターシャツ収容袋９を設けたものとしている。
【００１０】
【発明の実施の形態】
以下、この発明の洋服収容バッグの実施の形態を、図面に基づいて詳細に説明する。
【００１１】
図１は、この発明の洋服収容バッグを広げた状態を示しており、洋服の上着Ｊを左右二つ折りにして収容すると共に、この上着Ｊの下または上に重ねてズボンＰを収容する収容部１を有している。この収容部１は、略長方形状の袋体からなり、長さ方向に四つ折りして畳むことができるものとしており、また表体１ａの上辺部２および側辺部３に沿って設けた開閉ファスナ４ａ、４ｂを開放することにより、この表体１ａを裏体１ｂの片側方に展開できるようにしている。なお、収容部１の表体１ａを縦方向に四分割し、そのうちの一分割部に、厚紙などの保形体５を保持させておき、この保形体５に基づいて収容部１を折り畳んでいくことにより丁度、四つ折りすることができるようにしている。
【００１２】
前記収容部１の一方端縁（図示したものでは上方端縁）の内側角部には、上着Ｊの肩パッド部分Ｊｐに略等しい高さとした枠形状のコーナー保護部材６を取り付けたものとしている。すなわち、上着Ｊの肩パッド部分Ｊｐが左右重なっていて上着Ｊの収容状態では厚みが大きいので、この厚みに対応するコーナー保護部材６を必要な高さとして形成し、これをバッグの襠部７の内側に固定している。そして、このコーナー保護部材６の内側には、ネクタイ、ハンカチなどの小物Ａを収容可能とした空間８を設けたものとしている。このコーナー保護部材６は、合成樹脂、金属、木材などの硬質の帯状部材を曲げた形状からなり、図２に示したように、コーナー保護部６ａと襠部７内側の当て具部６ｂを連設してなるものとしている。この当て具部６ｂは、襠部７の芯部材となって襠部７を補強している。さらに、コーナー保護部材６の当て具部６ｂには、コーナー保護部６ａと反対側の内側角部を保護するコーナー保護部６ｃを連設したものとしてもよい。なお、コーナー保護部材６は、硬質の帯状部材を曲げた形状からなるので、前記コーナー保護部６ａ、当て具部６ｂ、コーナー保護部６ｃが形成し易いものとなる。また、このコーナー保護部材６は、収容部１の一方端縁の内側角部にビス止めするなどして簡単に取り付けことができる。
【００１３】
前記収容部１のコーナー保護部材６のコーナー保護部６ａと反対側には、カッターシャツ収容袋９を設けたものとしている。このカッターシャツ収容袋９は、収容部１の他方端縁（図示したものでは側方端縁）にその収容袋の一方端縁を縫着するなどして連結したものとしている。また、カッターシャツ収容袋９には、小物Ａなどを収容するためのポケット９ａを設けたものとすることもできる。
【００１４】
前記収容部１のコーナー保護部材６の当て具部６ｂには、襠部７の略中央に位置するようにして吊り具１０を取り付けたものとしている。この吊り具１０は、ズボン掛け１１を吊るすためのものであり、リング体などとすることができる。
【００１５】
さらに、前記収容部１の一方端縁（図示したものでは上方端縁）の外側には、この一方端縁の略中央に位置するようにして吊り具１２を取り付けたものとしている。この吊り具１２は、洋服収容バッグそのものを洋服ダンスの吊り桟や、室内の壁に取り付けた吊り具などに吊るすためのものであり、フック体などとすることができる。また、前記吊り具１２は、図示したものは、収容部１の一方端縁の両端に弛みをもたせて掛け渡した吊りベルト１３の略中央に取り付けたものとして、収容部１の一方端縁の略中央に位置するようにしてもよい。
【００１６】
また、前記収容部１の一方端縁（図示したものでは上方端縁）の外側には、収容部１の裏体１ｂの略中央部両端に設けた止着体１４ａと対をなす止着体１４ｂを設けたものとしている。図示したものでは、止着体１４ａ、１４ｂを帯状体の先端に設けたスナップ・ボタンとしているが、それぞれを面接着ファスナーの雌雄体などとすることもできる。
【００１７】
以上のように構成したこの発明の洋服収容バッグは、次のようにして使用する。
【００１８】
先ず、図１に示したように、収容部１の表体１ａの開閉ファスナー４ａ、４ｂを開放し、この表体１ａを裏体１ｂの片側方に広げる。そして、図３に示したように、洋服の上着Ｊを左右二つ折りにし、この上着Ｊの肩パッド部分Ｊｐがコーナー保護部材６に近接するようにして、上着Ｊを収容部１の裏体１ｂの上に載せる。ネクタイやハンカチなどの小物Ａは、コーナー保護部材６の内側の空間８に収容する。さらに、図４に示したように、ズボン掛け１１に掛けたズボンＰを前記上着Ｊに上に重ねるようにして載せ、スボン掛け１１をコーナー保護部材６に取り付けた吊り具１０に吊るす。なお、このズボン掛け１１に掛けたズボンＰを収容部１の裏体１ｂの上に先に載せて、前記上着ＪをこのズボンＰの上に重ねるようにして載せてもよい。また、カッターシャツＣは、図５に示したように、カッターシャツ収納袋９に収納する。
【００１９】
次に、図６に示したように、展開した表体１ａを裏体１ｂ側に折り返し、表体１ａの開閉ファスナー４ａ、４ｂを閉鎖する。そして、図７〜９に示したように、収容部１の下部から順に、この収容部１を保形体５に基づいて折り畳んでいき、収容部１を四つ折りにする。さらに、収容部１の裏体１ｂに設けた止着体１４ａを、収容部１の一方端部に設けた止着体１４ｂに止着すれば、収容部１を四つ折りにした状態にしておくことができる。この状態で、吊りベルト１３を提手として用いて洋服収容バッグを携行したり、図１０に示したように、吊りベルト１３に取り付けられた吊り具１２によって、室内の壁に取り付けた吊り具Ｆなどに洋服収容バッグを吊るしておくことができる。なお、この洋服収容バッグを吊り具などに吊るしておく場合、洋服収容バッグから上着Ｊを取り出し、収容部１を四つ折りにせず延ばした状態にして、図１１に示したように、この取り出した上着Ｊを洋服ハンガーに掛けるようにして、収容部１の一方端縁に掛けておくこともできる。このようにすれば、洋服収容バッグを洋服ハンガー代わりとして使用でき、上着Ｊが型崩れを起こさないと共に、上着Ｊに皺が寄ることもない。
【００２０】
【発明の効果】
この発明の洋服収容バッグは、以上に述べたように構成されているので、上着が型崩れを起こさないようになると共に、使用する当て部材の製造が容易なものとなり、さらにその当て部材のバッグへの取り付け作業も容易なものなり、しかも当て部材の部分が小物を収容するなどの有効利用をすることができるものとなった。
【図面の簡単な説明】
【図１】この発明の洋服収容バッグを広げた状態を示す斜視図である。
【図２】この発明の洋服収容バッグのコーナ保護部材の斜視図である。
【図３】この発明の洋服収容バッグに上着と小物を収容した状態を示す斜視図である。
【図４】この発明の洋服収容バッグに上着と小物とズボンを収容した状態を示す斜視図である。
【図５】この発明の洋服収容バッグに上着と小物とズボンとカッターシャツを収容する状態を示す説明図である。
【図６】この発明の洋服収容バッグに上着と小物とズボンとカッターシャツを収容して開閉ファスナーを閉鎖した状態を示す斜視図である。
【図７】この発明の洋服収容バッグを折り畳んでいく状態を示す斜視図である。
【図８】この発明の洋服収容バッグを折り畳んでいく状態を示す斜視図である。
【図９】この発明の洋服収容バッグを折り畳んでいく状態を示す斜視図である。
【図１０】この発明の洋服収容バッグを折り畳んで吊るしておく状態を示す斜視図である。
【図１１】この発明の洋服収容バッグを延ばした状態にして吊るしておく状態を示す斜視図である。
【図１２】従来の洋服収容バッグに上着とズボンを収容する状態を示す説明図である。
【図１３】従来の洋服収容バッグに上着とズボンを収容する状態を示す説明図である。
【図１４】従来の洋服収容バッグに上着とズボンを収容する状態を示す説明図である。
【図１５】従来の洋服収容バッグに上着とズボンを収容する状態を示す説明図である。
【図１６】従来の洋服収容バッグに上着とズボンを収容する状態を示す説明図である。
【図１７】従来の洋服収容バッグに上着とズボンを収容する状態を示す説明図である。
【符号の説明】
１  収容部
６  コーナー保護部材
６ａ  コーナー保護部
６ｂ  当て具部
８  空間
９  カッターシャツ収容袋
Ｊ  上着
Ｊｐ  肩パッド部分
【図１】
2004222811.tif 000003
【図２】
2004222811.tif 000004
【図３】
2004222811.tif 000005
【図４】
2004222811.tif 000006
【図５】
2004222811.tif 000007
【図６】
2004222811.tif 000008
【図７】
2004222811.tif 000009
【図８】
2004222811.tif 000010
【図９】
2004222811.tif 000011
【図１０】
2004222811.tif 000012
【図１１】
2004222811.tif 000013
【図１２】
2004222811.tif 000014
【図１３】
2004222811.tif 000015
【図１４】
2004222811.tif 000016
【図１５】
2004222811.tif 000017
【図１６】
2004222811.tif 000018
【図１７】
2004222811.tif 000019